【手続補正書】
【提出日】平成16年5月7日(2004.5.7)
【手続補正１】
【補正対象書類名】特許請求の範囲
【補正対象項目名】全文
【補正方法】変更
【補正の内容】
【特許請求の範囲】
【請求項１】
少なくとも１つのバッテリを充電する方法であって、
少なくとも１つのバッテリを第１電圧において第１時間期間充電するステップと、
前記第１時間期間の終了時に、前記少なくとも１つのバッテリの充電状態を判定するステップと、
前記第１時間期間の前記終了時に前記少なくとも１つのバッテリが実質上完全に充電されている場合、前記第１電圧において第２時間期間前記少なくとも１つのバッテリを充電し、第２電圧において第３時間期間前記少なくとも１つのバッテリを充電するステップと、
前記第１時間期間の終了時に、前記少なくとも１つのバッテリが実質上完全に消耗している場合、前記第１電圧において代替第２時間期間前記少なくとも１つのバッテリを充電し、更に前記第２電圧において代替第３時間期間前記少なくとも１つのバッテリを充電するステップと、
から成る方法。
【請求項２】
請求項１記載の方法において、前記少なくとも１つのバッテリを充電するために必要な総時間は、前記１時間期間、前記第２時間期間、および前記第３時間期間の和、または前記第１時間期間、前記代替第２時間期間、および前記代替第３時間期間の和である、方法。
【請求項３】
請求項２記載の方法において、前記少なくとも１つのバッテリを充電するために必要な総時間は、前記少なくとも１つのバッテリのバッテリ容量を、該少なくとも１つのバッテリに供給する充電電流で除算した値に等しい、方法。
【請求項４】
請求項１記載の方法において、前記第１電圧は、前記少なくとも１つのバッテリの充電特性図の第１プラトーおよび第２プラトー間の電圧に実質上等しい、方法。
【請求項５】
請求項１記載の方法において、前記第２電圧は、前記少なくとも１つのバッテリの充電特性図の鋭く上昇する曲線の前にある第２プラトーにおける電圧またはそれよりも多少高い電圧にほぼ等しい、方法。
【請求項６】
請求項１記載の方法において、前記第１時間期間は、充電開始時に開始し、前記少なくとも１つのバッテリに供給する充電電流で前記少なくとも１つのバッテリのバッテリ容量を除算して係数を乗算した値にほぼ等しく、前記係数が０．０５および０．１０の間である、方法。
【請求項７】
請求項１記載の方法において、
前記少なくとも１つのバッテリが、前記第１時間期間の前記終了時にほぼ完全に充電されている場合、
前記第２時間期間は、前記第１時間期間の終了時に開始し、前記第３時間期間の開始時に終了し、前記少なくとも１つのバッテリに供給する充電電流で前記少なくとも１つのバッテリのバッテリ容量を除算して係数を乗算した値にほぼ等しく、前記係数が０．５５および０．６５の間であり、
前記第３時間期間は、前記第２時間期間に係数を乗算した値にほぼ等しく、前記係数が０．４５および０．５５の間である、方法。
【請求項８】
請求項１記載の方法において、
前記少なくとも１つのバッテリが、前記第１時間期間の前記終了時にほぼ完全に消耗している場合、
前記代替第２時間期間は、前記第１時間期間の終了時に開始し、前記代替第３時間期間の開始時に終了し、前記少なくとも１つのバッテリに供給する充電電流で前記少なくとも１つのバッテリのバッテリ容量を除算して係数を乗算した値にほぼ等しく、前記係数が０．７０および０．８０の間であり、
前記代替第３時間期間は、前記代替第２時間期間に係数を乗算した値にほぼ等しく、前記係数が０．１５および０．２５の間である、方法。
【請求項９】
請求項１記載の方法において、前記少なくとも１つのバッテリを充電する前記方法の前記ステップを、カットオフ電圧コントローラ／タイマによって制御する、方法。
【請求項１０】
請求項９記載の方法において、前記カットオフ電圧コントローラ／タイマがマイクロコントローラである、方法。
【請求項１１】
請求項１記載の方法において、前記少なくとも１つのバッテリを充電する前記方法の前記ステップを、マイクロコントローラによって制御する、方法。
【請求項１２】
少なくとも１つのバッテリを充電する方法であって、
少なくとも１つのバッテリを第１電圧において第１時間期間充電するステップと、
前記第１時間期間の終了時に、前記少なくとも１つのバッテリの充電状態を判定するステップと、
前記第１時間期間の前記終了時に前記少なくとも１つのバッテリがほぼ完全に充電されている場合、前記第１電圧において第２時間期間前記少なくとも１つのバッテリを充電し、第２電圧において第３時間期間前記少なくとも１つのバッテリを充電するステップと、
前記第１時間期間の終了時に、前記少なくとも１つのバッテリがほぼ完全に消耗している場合、前記第１電圧において代替第２時間期間前記少なくとも１つのバッテリを充電し、更に前記第２電圧において代替第３時間期間前記少なくとも１つのバッテリを充電するステップと、
から成り、
前記少なくとも１つのバッテリを充電するために必要な総時間は、前記１時間期間、前記第２時間期間、および前記第３時間期間の和、または前記第１時間期間、前記代替第２時間期間、および前記代替第３時間期間の和であり、
前記少なくとも１つのバッテリを充電するために必要な前記総時間は、前記少なくとも１つのバッテリのバッテリ容量を、該少なくとも１つのバッテリに供給する充電電流で除算した値にほぼ等しく、
前記第１電圧は、前記少なくとも１つのバッテリの充電特性図の第１プラトーおよび第２プラトー間の電圧にほぼ等しく、
前記第２電圧は、前記少なくとも１つのバッテリの充電特性図の鋭く上昇する曲線の前にある第２プラトーにおける電圧またはそれよりも多少高い電圧に実質上等しく、
前記第１時間期間は、充電開始時に開始し、前記少なくとも１つのバッテリに供給する充電電流で前記少なくとも１つのバッテリのバッテリ容量を除算して係数を乗算した値に実質上等しく、前記係数が０．０５および０．１０の間であり、
前記少なくとも１つのバッテリが、前記第１時間期間の前記終了時に実質上完全に充電されている場合、
前記第２時間期間は、前記第１時間期間の終了時に開始し、前記少なくとも１つのバッテリに供給する充電電流で前記少なくとも１つのバッテリのバッテリ容量を除算して係数を乗算した値にほぼ等しく、前記係数が０．５５および０．６５の間であり、
前記第３時間期間は、前記第２時間期間の終了時に開始し、前記第２時間期間に係数を乗算した値にほぼ等しく、前記係数が０．４５および０．５５の間であり、
前記少なくとも１つのバッテリが、前記第１時間期間の前記終了時にほぼ完全に消耗している場合、
前記代替第２時間期間は、前記第１時間期間の終了時に開始し、前記少なくとも１つのバッテリに供給する充電電流で前記少なくとも１つのバッテリのバッテリ容量を除算して係数を乗算した値にほぼ等しく、前記係数が０．７０および０．８０の間であり、
前記代替第３時間期間は、前記代替第２時間期間の終了時に開始し、前記代替第２時間期間に係数を乗算した値にほぼ等しく、前記係数が０．１５および０．２５の間である、方法。
【請求項１３】
バッテリ充電システムであって、
電流源と、
カットオフ電圧コントローラ／タイマと、
少なくとも１つのバッテリと、
前記バッテリの各前記それぞれに印加する電圧、および前記バッテリの各前記それぞれに供給する電流を規制する、電圧／電流レギュレータのそれぞれと、
を備え、
前記カットオフ電圧コントローラ／タイマは、前記電圧／電流レギュレータの制御によって、前記電圧を制御し、前記バッテリの各前記それぞれに印加する前記電圧の時間期間を制御する、バッテリ充電システム。
【請求項１４】
請求項１３記載のバッテリ充電システムにおいて、前記カットオフ電圧コントローラ／タイマがマイクロコントローラである、バッテリ充電システム。
【請求項１５】
請求項１３記載のバッテリ充電システムにおいて、当該バッテリ充電システムは、前記少なくとも１つのバッテリを充電するプロセスのステップを実行する、バッテリ充電システム。
【請求項１６】
請求項１５記載のバッテリ充電システムにおいて、前記カットオフ電圧コントローラ／タイマは、前記少なくとも１つのバッテリを充電する前記プロセスのステップを制御する、バッテリ充電システム。
【請求項１７】
請求項１３記載のバッテリ充電システムにおいて、当該バッテリ充電システムは、前記少なくとも１つのバッテリを充電するプロセスのステップを実行し、該ステップが、
少なくとも１つのバッテリを第１電圧において第１時間期間充電するステップと、
前記第１時間期間の終了時に、前記少なくとも１つのバッテリの充電状態を判定するステップと、
前記第１時間期間の前記終了時に前記少なくとも１つのバッテリがほぼ完全に充電されている場合、前記第１電圧において第２時間期間前記少なくとも１つのバッテリを充電し、第２電圧において第３時間期間前記少なくとも１つのバッテリを充電するステップと、
前記第１時間期間の終了時に、前記少なくとも１つのバッテリがほぼ完全に消耗している場合、前記第１電圧において代替第２時間期間前記少なくとも１つのバッテリを充電し、更に前記第２電圧において代替第３時間期間前記少なくとも１つのバッテリを充電するステップと、
から成る、バッテリ充電システム。
【請求項１８】
請求項１３記載のバッテリ充電システムにおいて、当該バッテリ充電システムは、前記少なくとも１つのバッテリを充電するプロセスのステップを実行し、該ステップが、
少なくとも１つのバッテリを第１電圧において第１時間期間充電するステップと、
前記第１時間期間の終了時に、前記少なくとも１つのバッテリの充電状態を判定するステップと、
前記第１時間期間の前記終了時に前記少なくとも１つのバッテリがほぼ完全に充電されている場合、前記第１電圧において第２時間期間前記少なくとも１つのバッテリを充電し、第２電圧において第３時間期間前記少なくとも１つのバッテリを充電するステップと、
前記第１時間期間の終了時に、前記少なくとも１つのバッテリがほぼ完全に消耗している場合、前記第１電圧において代替第２時間期間前記少なくとも１つのバッテリを充電し、更に前記第２電圧において代替第３時間期間前記少なくとも１つのバッテリを充電するステップと、
から成り、
前記少なくとも１つのバッテリを充電するために必要な総時間は、前記１時間期間、前記第２時間期間、および前記第３時間期間の和、または前記第１時間期間、前記代替第２時間期間、および前記代替第３時間期間の和であり、
前記少なくとも１つのバッテリを充電するために必要な前記総時間は、前記少なくとも１つのバッテリのバッテリ容量を、該少なくとも１つのバッテリに供給する充電電流で除算した値にほぼ等しく、
前記第１電圧は、前記少なくとも１つのバッテリの充電特性図の第１プラトーおよび第２プラトー間の電圧にほぼ等しく、
前記第２電圧は、前記少なくとも１つのバッテリの充電特性図の鋭く上昇する曲線の前にある第２プラトーにおける電圧またはそれよりも多少高い電圧にほぼ等しく、
前記第１時間期間は、充電開始時に開始し、前記少なくとも１つのバッテリに供給する充電電流で前記少なくとも１つのバッテリのバッテリ容量を除算して係数を乗算した値にほぼ等しく、前記係数が０．０５および０．１０の間であり、
前記少なくとも１つのバッテリが、前記第１時間期間の前記終了時にほぼ完全に充電されている場合、
前記第２時間期間は、前記第１時間期間の終了時に開始し、前記少なくとも１つのバッテリに供給する充電電流で前記少なくとも１つのバッテリのバッテリ容量を除算して係数を乗算した値にほぼ等しく、前記係数が０．５５および０．６５の間であり、
前記第３時間期間は、前記第２時間期間の終了時に開始し、前記第２時間期間に係数を乗算した値にほぼ等しく、前記係数が０．４５および０．５５の間であり、
前記少なくとも１つのバッテリが、前記第１時間期間の前記終了時にほぼ完全に消耗している場合、
前記代替第２時間期間は、前記第１時間期間の終了時に開始し、前記少なくとも１つのバッテリに供給する充電電流で前記少なくとも１つのバッテリのバッテリ容量を除算して係数を乗算した値にほぼ等しく、前記係数が０．７０および０．８０の間であり、
前記代替第３時間期間は、前記代替第２時間期間の終了時に開始し、前記代替第２時間期間に係数を乗算した値にほぼ等しく、前記係数が０．１５および０．２５の間である、バッテリ充電システム。